(57)【要約】      （修正有）【課題】簡単な構造で取付対象への取付操作も容易であり、強固な固定を可能としたフレキシブル基板の固定構造を提供する。【解決手段】フレキシブル基板１を取付対象２に固定する構造において、フレキシブル基板１に切れ込みをいれて折れ部で折れ曲がる切込片を形成し、この切込片形成個所の裏面に可撓性のある補強板４を貼り付け、この補強板４にもフレキシブル基板１と同様の切れ込み、折れ部、切込片を形成し、取付対象２に先のとがった頭部３Ｂと首部３Ｃとの間にあご３Ａが形成されたクリップ３を設け、このクリップ３を前記フレキシブル基板１及び補強板４の切れ込みに差し込み、頭部３Ｂが切れ込みから抜け出て切込片があご３Ａに引っ掛かってフレキシブル基板１を取付対象２に固定する。【選択図】図１
2008258366.tif 000002
【特許請求の範囲】
【請求項１】
フレキシブル基板を取付対象に固定する構造において、
フレキシブル基板に切れ込みをいれて折れ部で折れ曲がる切込片を形成し、
この切込片形成個所の裏面に可撓性のある補強板を貼り付け、
この補強板にもフレキシブル基板と同様の切れ込み、折れ部、切込片を形成し、
取付対象に先のとがった頭部と首部との間にあごが形成されたクリップを設け、
このクリップを前記フレキシブル基板及び補強板の切れ込みに差し込み、頭部が切れ込みから抜け出て切込片があごに引っ掛かってフレキシブル基板を取付対象に固定することを特徴とするフレキシブル基板の固定構造。
【請求項２】
フレキシブル基板に形成された切込片の部分を除去し、補強板にのみ切れ込み、折れ部、切込片を形成し、クリップのあごに補強板の切込片のみが引っ掛かるようにしたことを特徴とする請求項１に記載のフレキシブル基板の固定構造。
【発明の詳細な説明】
【技術分野】
【０００１】
本発明は、電子機器のケース内にフレキシブル基板を取付け、固定するための構造に関する。
【背景技術】
【０００２】
従来のこの種の固定構造としては、フレキシブル基板（ＦＰＣ）の取付部に角穴を形成し、この角穴の一辺中央から延びるスリットを形成し、取付対象（例えばケース内のベース板）に突出係止部としてリブ状に形成した取付用リブを形成し、ＦＰＣをこの取付対象に取付け、固定するときは、取付用リブにスリット部分を押し付けることによりスリット部分を変形させてこの変形した部分で取付用リブを両側から挟持するようにしてＦＰＣを取付対象に固定するものが知られていた（特許文献１参照）。
【０００３】
また、ＦＰＣを撓ませることなく取付対象に取付け、固定する従来例としては、電気部品の間を電気的に接続する導電パターンをシート材料により挟み込んだＦＰＣの固定部材への取付構造であって、ＦＰＣに、固定部材に設けた固定手段を挿通する同一または異形の開口を少なくとも２つ以上設け、固定部材の固定手段として、ＦＰＣの開口を挿通可能に形成され該ＦＰＣを固定する固定面または該固定面の延長面に対向して平面方向に移動した該開口の縁に対面する対向部を有する引掛部と、該引掛部の対向部に対面する状態のＦＰＣの異なる開口に対応する部位に形成され該開口への挿通により該開口に係合してＦＰＣの移動を係止する係止部と、を設けたものも知られている（特許文献２参照）。
【特許文献１】特開平７−７４４８６号公報（第３頁、図２）
【特許文献２】特開平９−１６２５７１号公報（第２頁、図１）
【発明の開示】
【発明が解決しようとする課題】
【０００４】
特許文献１に記載の固定構造は、スリットの両側の部分のＦＰＣ自身の剛性により取付用リブを挟持するだけであり、このリブからＦＰＣが簡単に抜け出るおそれがあった。また、特許文献２に記載の固定構造は、引掛部を有するフックと、このフックにＦＰＣの方形穴を引掛けたときに円形穴と位置が一致するように形成されたクリップとを有するが、穴径とクリップの軸径との差分による位置ずれや、クリップの縦方向のずれが生じるおそれがあった。
【０００５】
そこで、本発明は、簡単な構造で、取付対象への取付操作も容易であり、強固な固定を可能としたフレキシブル基板の固定構造を提供することを目的とする。
【課題を解決するための手段】
【０００６】
上述の目的を達成するため、本発明は、フレキシブル基板を取付対象に固定する構造において、フレキシブル基板に切れ込みをいれて折れ部で折れ曲がる切込片を形成し、この切込片形成個所の裏面に可撓性のある補強板を貼り付け、この補強板にもフレキシブル基板と同様の切れ込み、折れ部、切込片を形成し、取付対象に先のとがった頭部と首部との間にあごが形成されたクリップを設け、このクリップを前記フレキシブル基板及び補強板の切れ込みに差し込み、頭部が切れ込みから抜け出て切込片があごに引っ掛かってフレキシブル基板を取付対象に固定するものである。
【発明の効果】
【０００７】
本発明によれば、フレキシブル基板を取付対象に固定する構造において、フレキシブル基板に切れ込みをいれて折れ部で折れ曲がる切込片を形成し、この切込片形成個所の裏面に可撓性のある補強板を貼り付け、この補強板にもフレキシブル基板と同様の切れ込み、折れ部、切込片を形成し、取付対象に先のとがった頭部と首部との間にあごが形成されたクリップを設け、このクリップを前記フレキシブル基板及び補強板の切れ込みに差し込み、頭部が切れ込みから抜け出て切込片があごに引っ掛かってフレキシブル基板を取付対象に固定するので、ＦＰＣの切れ込みにクリップを差し込むだけの簡単な操作により、クリップのあごに切込片が引っ掛かり、クリップの縦方向のずれを防止し、固定を強固なものとすることができる。また、操作も簡単で安価に加工できる。
【発明を実施するための最良の形態】
【０００８】
以下に、本発明の実施形態について、図面を参照にして説明する。
【０００９】
図１における固定構造は、フレキシブル基板（ＦＰＣ）１に形成した切れ込み１Ａの個所（図２参照）に、取付対象２のクリップ３を差し込んで、クリップ３のあご３Ａに切込片１Ｃが引っ掛かった状態を示す。クリップ３は、先のとがった頭部３Ｂと首３Ｃとの間にあご３Ａが形成されたものであり、頭部３Ｂの先端を、図２に示すＨ型の切れ込み１Ａの中央に差し込み、頭部３Ｂを切込片１Ｃから抜け出るまで差し込むことにより、折れ部１Ｂから折れ曲がった切込片１Ｃがあご３Ａに引っ掛かる。ＦＰＣ１の切込片１Ｃの形成個所の裏面には、可撓性を有する補強板４を貼り付けてある。この補強板４はＦＰＣ１の裏面全体に貼り付けてもいい。また、補強板４にもＦＰＣ１と同様の切れ込み４Ａ、折れ部４Ｂ、切込片４Ｃを形成してある（図７参照）。
【００１０】
特許文献１に開示されたものでは、クリップ３の縦方向のずれが生じるが、この実施形態では、首部３Ｃの長さや太さと切込片１Ｃの大きさを予め正確に設計しておけば、切込片１Ｃがあご３Ａの付け根に正確に引っ掛かり、クリップ３の縦方向のずれは生じない。また、切込片１Ｃの可撓性により、少しの寸法誤差は吸収することもできる。
【００１１】
図３ないし図５に示す切込片１Ｃは、種々の形状の切れ込み１Ａにより形成されたものを示す。図３では、井型に切れ込み１Ａを形成し、中央に正方形の穴を形成し、４つの切込片１Ｃでクリップ３を固定するものである。図４は、同じく井型に切れ込み１Ａを形成したが、中央の正方形の穴をより小さくし、切込片１Ｃを六角形状としたものである。さらに、図５は、正方形の対角線を切れ込み１Ａとし、中央に小さな穴を形成し、ほぼ三角形の切込片１Ｃを形成したものであり、十字型切れ込みタイプとした。これらも、裏面に貼り付けた補強板４にも同様の切れ込みなどを形成してある。
【００１２】
図６は、ＦＰＣ１の裏面に貼り付けた可撓性のある補強板４のみに切れ込み４Ａ、折れ部４Ｂ、切込片４Ｃを設けてある。図７は、ＦＰＣ１と補強板４との関係を示し、ＦＰＣ１に開口１０を形成し、この開口１０から補強板４が露出し、この露出した補強板４に切れ込み４Ａ、折れ部４Ｂ、切込片４Ｃを形成する。
【図面の簡単な説明】
【００１３】
【図１】固定状態の断面図。
【図２】ＦＰＣの切れ込みを示す平面図。
【図３】ＦＰＣの他の切れ込みを示す平面図。
【図４】ＦＰＣのさらに他の切れ込みを示す平面図。
【図５】ＦＰＣの別の切れ込みを示す平面図。
【図６】別の実施形態を示す断面図。
【図７】図６の補強板とＦＰＣの関係を示す平面図。
【符号の説明】
【００１４】
１    フレキシブル基板（ＦＰＣ）
１Ａ    切れ込み
１Ｂ    折れ部
１Ｃ    切込片
２  取付対象
３  クリップ
３Ａ    あご
３Ｂ    頭部
３Ｃ    首部
４    補強板
４Ａ    切れ込み
４Ｂ    折れ部
４Ｃ    切込片
【図１】
2008258366.tif 000003
【図２】
2008258366.tif 000004
【図３】
2008258366.tif 000005
【図４】
2008258366.tif 000006
【図５】
2008258366.tif 000007
【図６】
2008258366.tif 000008
【図７】
2008258366.tif 000009